(57)【要約】【課題】どこででも手に入る素材を用いて容易に製作できる簡単な構造の装置であって、付帯設備を要さず、装置の取り付け取り外し作業やその操作が容易で、汎用性・経済性に富む重量物の位置調整装置を提供することである。【解決手段】重量物１１の荷重を受ける台車等の構造物１３と、その荷重を該台車等に伝える受け台等の構造物１２との間にあって、台車等１３から受け台等１２を懸架するボルト１、その長さを調節するナット２および３、台車等に係合するナット２と台車等１３との間、および、受け台等に係合するナット３と受け台等１２との間に、それぞれ設けられた球面滑り軸受７、８とから成る重量物の上下方向の位置調整装置、さらに、台車等１３と受け台等１２の水平方向の相対位置を規制するボルト４とナット５を加えて重量物の上下・左右の二次元方向の位置調整装置。【選択図】        図１
0003110381.tif 000002
【実用新案登録請求の範囲】
【請求項１】
重量物の荷重を受ける台車等の構造物（以下「台車等」という。）と、該重量物の荷重を該台車等に伝える受け台等の構造物（以下「受け台等」という。）との間に介在して、該重量物の上下方向の位置を調整する位置調整装置であって、
該台車等から該受け台等を懸架するボルト（以下「ボルト１」という。）とその長さを調節することができるナットの組み合わせからなり、該台車等に係合するナットあるいはボルト頭（以下「ナット２」という。）と該台車等との間、および、該受け台等に係合するナットあるいはボルト頭（以下「ナット３」という。）と該受け台等との間に、それぞれ球面滑り軸受を有する重量物の位置調整装置。
【請求項２】
請求項１記載の重量物の位置調整装置であって、さらに、前記台車等と前記受け台等の水平方向の相対位置を規制するボルト（以下「ボルト４」という。）とそれに係合するナット（以下「ナット５」という。）を有し、該重量物の位置を上下方向、および、左右方向の二次元内で調整する重量物の位置調整装置。
【請求項３】
請求項１または請求項２いずれかに記載の位置調整装置を用いて、前記受け台等に積載した重量物の位置を調整する方法。
【考案の詳細な説明】
【技術分野】
【０００１】
本考案は、建設工事や補修工事の現場で、あるいは、生産工場の中で、重量物の位置を精密に調整する装置、および、方法に関するものである。
【背景技術】
【０００２】
建設工事や補修工事の現場で、あるいは、生産工場の中で重量物の位置を精密に調整する作業が、しばしば発生する。
例えば、発電プラントにおける大型のシェル・アンド・チューブ型熱交換器において、重量物であり、かつ、長尺物でもある管巣（チューブ・バンドル）を胴（シェル）内に挿入する作業をするときに、管巣を胴と同じ高さに支えた状態で、胴の一端に設けられた開口部に近づけ、そこから順次胴の中に送り込んでいく。
この際に、管巣に無理な力が掛からぬように、胴内に設けられた専用のレールに沿ってまっすぐに挿入しなければならない。そこで、作業にあたっては、管巣の胴に対する相対的な位置を精密に調整しながら作業が進められる。
【０００３】
かっては、クレーン等の揚重設備で長尺物である管巣の何点かを吊り上げておいて、人手によりその相対位置を調整しながら挿入していたが、人手がかかり、揚重設備の占有時間も長く、不都合であった。
【０００４】
そこで、最近では、台車上にジャッキを配置し、その上に乗せた管巣の高さ方向の調整をそのジャッキで行ないながら挿入をする方法が多く用いられている。管巣の長さ方向に数台のジャッキを設けて、管巣を胴の中に挿入するに従い、各ジャッキを適宜調整してその高さを調整してやれば、比較的スムースに上下方向の調整を行なうことができる。
【０００５】
しかし、この方法を用いたときに、ジャッキに乗った管巣は、その重量により容易には左右に動かない。
一般に台車に乗った管巣を胴に近づけたときに、水平面上において、胴内に設けられたレールの方向線に対し管巣の軸方向の中心線は完全に一致はしないから、上下方向の調整を完全に行なっても、挿入が進むにつれて左右方向のずれが大きくなり、ついにはレールと管巣が干渉して、傷が付いたり、挿入不可能になったりすることがある。
【０００６】
これを避けるために、クレーン等の揚重設備で管巣を吊り上げて、作業員が手を添えながら左右方向の位置を調整しては、ジャッキ上に下ろす作業を繰返しながら挿入するといった方法が一般に用いられてきた。しかし、この作業も多くの時間と人手を要するばかりでなく、揚重設備の占有時間も長くなり、不経済であった。
【０００７】
このような場合には、クレーンやジャッキ等を用いずに上下方向には正確な位置調整ができる一方、大きな力をかけなくても重量物を左右方向へは容易に移動させることができる、すなわち、左右方向への移動は非拘束の重量物の上下方向位置調整手段があると良い。できれば、簡単な構成のもので、どこででも手に入る素材を用いて現場において容易に製作できる物が望ましく、取り扱いが容易であることも肝要である。
【０００８】
以上は、管巣を胴の中に挿入する作業を例にとって、上下方向のみ位置を拘束し左右方向へは非拘束の位置調整手段の必要性ついて説明したが、重量物の位置を上下方向だけではなく、上下方向、および、左右方向の二次元の方向で精密に調整したい作業もある。
また、位置調整作業を行なうときには左右方向への移動を非拘束としたい場合でも、その作業に入る前の段階では左右方向の動きを拘束したい場合もある。
これらの場合にも上記と同様に、クレーン等を用いない簡単な構成のもので、現場において容易に製作でき、取り扱い容易な位置調整手段があることが望ましい。
【０００９】
大型の超重量据付け物の精密な位置決めのためには、特許文献１、あるいは、特許文献２のように、各種ジャッキを３次元方向に組み合わせた位置調整装置が提案されているが、いずれもその超重量据付け物に特化した装置であり、構造的にも複雑であり、準備すべき付帯設備も多く、また、据付けられる側もその装置を取付けるための考慮をあらかじめ行なっておく必要があることなどから、汎用性に乏しく、上記のような用途には向いていない。
【特許文献１】特開平９-３０１６９９号公報
【特許文献２】特開２００４-４３０９２号公報
【００１０】
先に例としてあげた大型シェル・アンドチューブ型熱交換器の管巣の引き抜きや挿入作業等、建設工事や補修工事の現場で、あるいは、生産工場の中で、日常的に必要となる重量物の位置の調整する装置としては、より簡単な構造で、どこででも手に入る素材を用いて現場に置いて容易に製作でき、付帯設備を要さず、取り扱いが容易、かつ、汎用性・経済性に富むものが望まれる。
【考案の開示】
【考案が解決しようとする課題】
【００１１】
そこで本考案が解決しようとする課題は、どこででも手に入る素材を用いて容易に製作できる簡単な構造の装置であって、付帯設備を要さず、装置の取り付け取り外し作業やその操作が容易で、汎用性・経済性に富む重量物の位置調整装置、および、調整方法を提供することである。
重量物の上下方向のみの位置調整を行ない左右方向の移動は拘束しないものと、左右方向の移動も拘束して、上下方向および左右方向の二次元方向の位置調整をするものとがある。
【課題を解決するための手段】
【００１２】
上記課題を解決するため、本考案は、重量物の荷重を受ける台車等の構造物（以下「台車等」という。）と、該重量物の荷重を該台車等に伝える受け台等の構造物（以下「受け台等」という。）との間に介在して、該重量物の上下方向の位置を調整する位置調整装置であって、
該台車等から該受け台等を懸架するボルト（以下「ボルト１」という。）とその長さを調節することができるナットの組み合わせからなり、該台車等に係合するナットあるいはボルト頭（以下「ナット２」という。）と該台車等との間、および、該受け台等に係合するナットあるいはボルト頭（以下「ナット３」という。）と該受け台等との間に、それぞれ球面滑り軸受を有する重量物の位置調整装置である。
【００１３】
重量物は受け台等の上に搭載され、その受け台等を台車等が支えて、間接的に重量物の荷重を受けている。その受け台等は、台車等からボルト１により懸架されて支持される。管巣のような長尺物の重量物にあっては、その長手方向に数個の受け台等が設けられて、受け台等の間で重量物が大きく撓むことがないように支持されるであろう。一般には、その各受け台等の左右の端に本発明に係るボルト１が設けられて、受け台等をその両端で懸架市、受け台等に掛かった重量物の荷重を台車等に伝達する。
【００１４】
ボルト１には、台車等に係合するナット２と、受け台等に係合するナット３が設けられ、それらを回転することによりボルト１の有効な長さを変えて、台車等と受け台等の距離を精密に調整できる。
各受け台等に設けられたボルト１の長さを調節することにより重量物の高さが調整される。重量物が長尺物の場合であっても、長手方向の適切な位置に数個の受け台等を配置し、その各々に本発明の位置調整装置を設けることによって、その全長に渡り上下方向の位置を精密に調整することができる。
【００１５】
ここで、「台車等」とは、重量物の荷重を受ける構造物であり、重量物とその構造物との関係位置を調整することにより、重量物の位置調整ができるものであればよく、台車に限るものではない。また、「受け台等」とは、重量物の荷重を受けて「台車等」にその荷重を伝えるものであればよく、「受け台」という名前を与えられなくてもよいし、さらに、重量物の荷重を「台車等」に伝えるものであればよいのであるから、例えば、重量物に一体で形成されたフランジのような物であってもよい。
また、ナット２およびナット３について、「ナットあるいはボルト頭」と表現したのは、そのいずれかが「ナット」ではなく「ボルト頭」であってもよいとの意味である。
【００１６】
台車等に係合するナット２と台車等との間、および、受け台等に係合するナット３と受け台等との間に、それぞれ球面滑り軸受を配置することにより、ボルト１は重量物の荷重が掛かった状態でも、ある程度の角度までは容易に傾斜することができる。
【００１７】
前述の胴内に管巣を挿入する作業の場合を例にとれば、管巣の挿入に従い台車等に搭載した管巣の左右のずれが生じてきたときに、胴内に設けられたレールは管巣にその左右のずれを修正するように力を掛ける。
このときに、ボルト１はある程度の角度まで容易に傾斜することができるから、管巣の左右の動きを拘束することなく、その力を活用して管巣は左右のずれを修正することができる。
【００１８】
したがって、左右のずれが出ても、クレーン等の揚重設備で管巣を吊り上げて、作業員が手を添えながら左右方向の位置を調整してはジャッキ上に下ろす作業を繰返しながら挿入するといった、多くの時間と人手を要し、揚重設備を長時間占有する作業を省くことができる。
また、この位置調整装置は構造が簡単で、付帯設備を要さず、使用する部材もボルト、ナット、球面滑り軸受等どこででも手に入るものであり、現場において容易に製作ができ、装置の取り付け取り外し作業やその取り扱いが容易で、汎用性・経済性に富んでいる。
【００１９】
また、本発明は、上記の重量物の上下方向に位置を調整する位置調整装置を基本として、さらに、前記台車等と前記受け台等の水平方向の相対位置を規制するボルト（以下「ボルト４」という。）とそれに係合するナット（以下「ナット５」という。）を有し、該重量物の位置を上下方向、および、左右方向の二次元内で調整する重量物の位置調整装置である。
【００２０】
上述の重量物の位置調整装置、すなわち、ボルト１の有効な長さを変えて、台車等と受け台等の距離、いいかえれば、重量物の上下方向に位置を精密に調整でき、かつ、台車等に係合するナット２と台車等との間、および、受け台等に係合するナット３と受け台等との間に、それぞれ球面滑り軸受を配置することにより、左右方向の動きは拘束しない位置調整装置に、台車等と受け台等の水平方向の相対位置を規制するボルトとそれに係合するナットを附加したものである。
【００２１】
この構成をとることにより、重量物の位置を上下方向だけでなく、上下方向、および、左右方向の二次元の方向で、精密に調整したい作業を容易に行なうことができる。重量物を搭載した状態で、すなわち、重量物の荷重がかかった状態で、ボルト１は容易にある程度の角度まで傾斜することができるので、ボルト４またはナット５を回転することにより、台車等と受け台等の左右方向の相対位置を規制するボルト４の有効長さを変え、重量物の左右方向の位置を精密に調整することができる。
【００２２】
重量物の位置調整を上下方向のみ行ない、左右方向の移動は非拘束とする場合であっても、その作業に入る前段階で左右の動きを拘束しておきたい場合にも、このボルト４とナット５を設置しておくことが有効である。
【００２３】
この二次元の方向の位置調整装置も、その構造が簡単で、付帯設備を要さず、使用する部材もどこででも手に入るものであり、現場において容易に製作ができ、装置の取り付け取り外し作業やその取り扱いが容易で、汎用性・経済性に富んでいる。
【００２４】
さらに、本発明は、上述のいずれかの位置調整装置を用いて、前記受け台等に積載した重量物の位置を調整する方法である。
【００２５】
重量物の上下方向のみの位置調整を行ない左右方向の移動は拘束しない作業、あるいは、重量物の上下方向および左右方向の二次元方向の位置調整をする作業、それぞれに最適な方法であり、極めて容易に精度の高い位置調整を行なうことができ、クレーン等の揚重設備で重量物を吊り上げて、作業員が手を添えながら位置調整をも繰返すといった、多くの時間と人手を要し、揚重設備を長時間占有する作業を省くことができる。
【考案の効果】
【００２６】
以上に説明した通り、本発明に係る重量物の位置調整装置はいずれも構造が簡単で、付帯設備を要さず、使用する部材もボルト、ナット、球面滑り軸受等どこででも手に入るものであり、現場において容易に製作ができ、装置の取り付け取り外し作業やその取り扱いが容易で、汎用性・経済性に富んでいる。
しかも、クレーン等の揚重設備で重量物を吊り上げて、作業員が手を添えながら位置調整を繰返すといった、多くの時間と人手を要し、揚重設備を長時間占有する作業を省くことができる。
【００２７】
また、本発明の重量物の位置調整方法は、極めて容易に精度の高い位置調整を行なうことができ、クレーン等の揚重設備で重量物を吊り上げて、作業員が手を添えながら位置調整をも繰返すといった、多くの時間と人手を要し、揚重設備を長時間占有する作業を省くことができる。
【考案を実施するための最良の形態】
【００２８】
以下、本考案を実施するための最良の形態を実施例に基づき図面を参照して詳細に説明する。なお、本考案はかかる形態に限定されず、本考案の範囲内でその具体的構造に種々の変更を加えて良いことは言うまでもない。
【００２９】
図１は本考案の重量物の位置調整装置の実施例の正面図、図２はそのＡ−Ａ矢視図、図３はそのＢ−Ｂ断面の詳細図、図４は本実施例を設けた台車を使って管巣等の長尺物の重
量物の位置調整をする方法の説明図である。
なお、理解を容易にするため、同じ機能を有し、同様の形状を有するものには、同じ付番をすることがある。
【００３０】
図１および図２に示すように、重量物１１を搭載した受け台１２は、その左右をボルト１により台車等１３から懸架されて支持されている。なお、これらの図では重量物として管巣のような長尺物を想定しているので、受け台１２が重量物の長手方向に複数台設けられることを考えて、１台の受け台等に２本のボルト１を設けているが、長尺物でない場合には、重量物の重量や形状によって、受け台の周囲に３本、あるいは、それ以上の適切な数のボルト１を設けて懸架することになろう。
【００３１】
ボルト１には、台車等１３に係合するナット２と、受け台等１２に係合するナット３が設けられ、ナット２と台車等１３との間には球面滑り軸受７が、ナット３と受け台等１２との間には球面滑り軸受８が挿入されている。
【００３２】
図３は、図２のＢ−Ｂ断面の詳細を示す。球面滑り軸受７および８は、凸面の球面を有する雄部７ａおよび８ａと、同じ径の球面で、かつ、凹面を有する雌部７ｂおよび８ｂとの組み合わせから成り、互いにその球面で接触し、その球面の接触部分で滑ることにより、荷重を支持しながら両者の軸方向を変化することができる。
【００３３】
当初、図３（ａ）のようにボルト１によって台車等１３から垂直に懸架されていた受け台等１２に搭載された重量物（図３には図示されていない。）に外力が加わり、図３（ｂ）に示すように、その力が受け台等１２が左右方向に距離Ｌだけ移動しようとすると、球面滑り軸受７および８はその球面の接触部分で滑り、ボルト１はある程度の角度までは容易に傾斜することができて、その移動を拘束しない。
【００３４】
この構成を取ることにより、重量物１１の加重は受け台等１２に支持され、それらの総荷重は球面滑り軸受８、ナット３、ボルト１、ナット２、球面滑り軸受７を順次介して台車等１３に伝えられる。そこで、ナット１、あるいは、ナット２を回転させて、ボルト１の有効な長さを変えることにより、重量物を搭載したままで台車等１３等と受け台等１２の距離、すなわち、重量物１１の上下方向の位置を、容易に、かつ、精密に調整することができる。
【００３５】
この実施例では、さらに台車等１３と受け台等１２の水平方向の相対位置を規制するボルト４とそれに係合するナット５を受け台等１２の左右に有している。
上述のように左右の動きを拘束せず、上下方向の位置調整のみを必要とする場合には、これらの設備を設ける必要はない。
仮に、もし設けても、図１に示すようにボルト４を引き込めて、受け台等１２に接触しない状態にしておけば、左右の動きは拘束せず、上下方向の位置調整を行なうことができる。
【００３６】
上下方向と左右方向の二次元で位置調整を行ないたいのであれば、このボルト４とナット５を設けて、ボルト４を回転させて台車等１３と受け台等１２の水平方向の相対位置を規制することにより行なうことができる。この場合にも、球面滑り軸受７および８の働きにより、重量物巣を搭載したままで重量物１１の左右方向の位置を、容易に、かつ、精密に調整することができる。
【００３７】
なお、図１では、受け台等１２の左右にそれぞれボルト４およびナット５の組み合わせを配置しているので、ナット５を台車等１３に溶接等で固定し、調整すべき位置に重量物１１が来るように、ボルト４で受け台等１２を左右から押す形を取っている。
台車等１３と受け台等１２の水平方向の相対位置を規制することにより行なうことができればこの形にこだわる必要はなく、受け台等に固定したボルト４を台車等に設けて穴に通し、その穴を挟さむ形でボルト４に係合する２個のナット５で、台車等を挟み付けて、両者の位置を規制する方法等の種々の代案が考えられるであろう。
【００３８】
この実施例で示すように、本考案の位置調整装置は、その構造が簡単で、付帯設備を要さず、使用する部材もどこででも手に入るものであり、現場において容易に製作ができ、装置の取り付け取り外し作業やその取り扱いが容易で、汎用性・経済性に富んでいる。
【００３９】
図４は、本実施例を設けた台車を使って管巣等の長尺物の重量物１１の位置調整をする要領の説明図である。設置されているシェル・アンド・チューブ熱交換器の胴１５に管巣１１を挿入する作業において、複数の台車１３ａ、１３ｂ、１３ｃ、・・・に乗せた管巣１１を胴１５の開口部１５ａの近くまで運んできた状態である。
胴内には管巣を受け入れるべく設けられた専用のレール（図示されていない。）があり、それに干渉しないように、管巣１１を挿入しなければならない。
【００４０】
管巣１１の軸方向の中心線が、胴内に設けられたレールの方向線になるべく一致するように台車を操作しながら管巣の端部１１ａを胴の開口部１５ａに近づけていく。端部１１ａが胴内に設けられたレールに充分近づいたところで、作業員は台車１３ａの受け台１２ａの左右に設けられたボルト１に係合するナット２やナット３（図４には図示されていない。）を操作して、管巣１１の上下方向の位置調整を行なう。さらに必要があれば、同じく受け台１２ａの左右に設けられたボルト４を操作して、管巣１１の左右方向の位置調整を行なう。いずれも、管巣１１の荷重がかかった状態で、容易に位置調整が行える。
【００４１】
調整が完了したあと、台車を胴に向かって移動し、管巣の端部１１ａが胴内のレールに預けられた時点で、最先端の台車１３ａを管巣１１から外す。この場合、ナット２やナット３を操作して受け台１２ａを下げてやれば容易に台車１３ａを外すことができる。
さらに、台車１３ｂ、１３ｃ、・・・を胴に向かって移動し、必要に応じて、胴内に設けられたレールに近づいた台車のナット２やナット３を操作して、受け台１２ｂ、１２ｃ、・・・の高さを変えて、管巣１１の上下方向の位置調整を行なう。
【００４２】
２台目以降の台車１３ａ、１３ｂ、・・・では、ボルト４を台車側に引き込めて、受け台の左右方向の動きを拘束しないようにして、自律的に胴内のレールの方向線と一致させるようにして、レールと管巣の干渉を、作業員が手を加えたり、別の揚重機器を使用することなく、容易に避けることができる。
また、胴の開口部１５ａの近くまで管巣１１を移動させる際には、管巣の無用な動きを避けるために、ボルト４を用いて左右方向の動きを拘束することも可能である。
【００４３】
以上に述べた通り、本考案の位置調整方法を採用することにより、極めて容易に精度の高い重量物の上下方向の位置調整、あるいは、上下方向および左右方向の二次元方向の位置調整を行なうことができる。
【産業上の利用可能性】
【００４４】
建設工事や補修工事の現場で、あるいは、生産工場の中で、重量物の位置を精密に調整する際に広く活用できる位置調整装置および位置調整方法である。
【図面の簡単な説明】
【００４５】
【図１】本考案の重量物の位置調整装置の実施例の正面図である。
【図２】同じ実施例のＡ−Ａ矢視図である。
【図３】同じ実施例のＢ−Ｂ断面の詳細図である。
【図４】その実施例の位置調整装置を設けた台車を使って重量物の位置調整をする方法の説明図である。
【符号の説明】
【００４６】
１    ボルト１
２    ナット２
３    ナット３
４    ボルト４
５    ナット５
７、８    球面滑り軸受
１１    重量物（管巣）
１１ａ  管巣の端部
１２、１２ａ、１２ｂ、１２ｃ、・・    受け台等
１３、１３ａ、１３ｂ、１３ｃ、・・    台車等
１５    胴
１５ａ  胴の開口部
【図１】
0003110381.tif 000003
【図２】
0003110381.tif 000004
【図３】
0003110381.tif 000005
【図４】
0003110381.tif 000006
【手続補正書】
【提出日】平成17年3月2日(2005.3.2)
【手続補正１】
【補正対象書類名】実用新案登録請求の範囲
【補正対象項目名】全文
【補正方法】変更
【補正の内容】
【実用新案登録請求の範囲】
【請求項１】
重量物の荷重を受ける台車等の構造物（以下「台車等」という。）と、該重量物の荷重を該台車等に伝える受け台等の構造物（以下「受け台等」という。）との間に介在して、該重量物の上下方向の位置を調整する位置調整装置であって、
該台車等から該受け台等を懸架するボルト（以下「ボルト１」という。）とその長さを調節することができるナットの組み合わせからなり、該台車等に係合するナットあるいはボルト頭（以下「ナット２」という。）と該台車等との間、および、該受け台等に係合するナットあるいはボルト頭（以下「ナット３」という。）と該受け台等との間に、それぞれ球面滑り軸受を有する重量物の位置調整装置。
【請求項２】
請求項１記載の重量物の位置調整装置であって、さらに、前記台車等と前記受け台等の水平方向の相対位置を規制するボルト（以下「ボルト４」という。）とそれに係合するナット（以下「ナット５」という。）を有し、該重量物の位置を上下方向、および、左右方向の二次元内で調整する重量物の位置調整装置。
【手続補正３】
【補正対象書類名】明細書
【補正対象項目名】０００１
【補正方法】変更
【補正の内容】
【０００１】
本考案は、建設工事や補修工事の現場で、あるいは、生産工場の中で、重量物の位置を精密に調整する装置に関するものである。
【手続補正４】
【補正対象書類名】明細書
【補正対象項目名】００１１
【補正方法】変更
【補正の内容】
【００１１】
そこで本考案が解決しようとする課題は、どこででも手に入る素材を用いて容易に製作できる簡単な構造の装置であって、付帯設備を要さず、装置の取り付け取り外し作業やその操作が容易で、汎用性・経済性に富む重量物の位置調整装置を提供することである。
重量物の上下方向のみの位置調整を行ない左右方向の移動は拘束しないものと、左右方向の移動も拘束して、上下方向および左右方向の二次元方向の位置調整をするものとがある。
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００４３
【補正方法】変更
【補正の内容】
【００４３】
以上に述べた通り、本考案の位置調整装置を採用することにより、極めて容易に精度の高い重量物の上下方向の位置調整、あるいは、上下方向および左右方向の二次元方向の位置調整を行なうことができる。
【手続補正９】
【補正対象書類名】明細書
【補正対象項目名】００４４
【補正方法】変更
【補正の内容】
【００４４】
建設工事や補修工事の現場で、あるいは、生産工場の中で、重量物の位置を精密に調整する際に広く活用できる位置調整装置である。